(57)【要約】【課題】安全かつ容易に取り扱える害虫捕獲器を提供する。【解決手段】害虫捕獲器１０１の基部１０３は、左右対称な形状である。粘着シート１０２は、基部１０３の一方の面に、その面の縁部からマージン１１０を設けてその面の中央に配置される。突部１０５は、マージン１１０に設けられて突出する。突部１０５とは対称な箇所には、係合受部１０６が設けられる。害虫捕獲器１０１は、単体で床面ＦＬに設置することができる。二つの害虫捕獲器１０１の突部１０５と係合受部１０６とを係合させて害虫捕獲器ユニットとし、この害虫捕獲器ユニットを床面ＦＬに設置することもできる。【選択図】図１
2011254746.tif 000002
【特許請求の範囲】
【請求項１】
対称軸について対称な形状の板状の基部と、
前記基部の第１の面の縁部からマージンを設けて前記第１の面の中央に配置される粘着部と、
前記マージンに設けられ前記第１の面から突出する突部と、
前記対称軸について前記突部とは対称な箇所に設けられ前記突部が係合する係合受部と、
を備える害虫捕獲器。
【請求項２】
前記マージンに設けられ前記第１の面から前記対称軸について対称に突出する複数の柱部を更に備える、
請求項１記載の害虫捕獲器。
【請求項３】
前記基部における前記第１の面とは反対側の第２の面は、平坦であり、
前記マージンには、前記第１の面の縁部に向かうにつれて前記第２の面に近づくよう傾斜する傾斜部が形成される、
請求項１又は２記載の害虫捕獲器。
【請求項４】
前記第２の面には、熱源を設置するための熱源設置領域が設けられ、
前記第２の面に設置された熱源を覆うカバー体をさらに備える、
請求項１から３のいずれか一に記載の害虫捕獲器。
【請求項５】
対称軸について対称な形状の板状の基部と、前記基部の第１の面の縁部からマージンを設けて前記第１の面の中央に配置される粘着部と、前記マージンに設けられ前記第１の面から突出する突部と、前記対称軸について前記突部とは対称な箇所に設けられ前記突部が係合する係合受部と、を備える第１の害虫捕獲器及び第２の害虫捕獲器を用いて、
前記第１の害虫捕獲器の突部と、前記第２の害虫捕獲器の係合受部とを係合させ、
前記第１の害虫捕獲器の係合受部と、前記第２の害虫捕獲器の突部とを係合させる、
害虫捕獲器の使用方法。
【請求項６】
前記第１の害虫捕獲器の前記基部における前記第１の面とは反対側の第２の面を、所定の載置面に接しさせ、
前記第２の害虫捕獲器の前記基部における前記第１の面とは反対側の第２の面を温める、
請求項５記載の害虫捕獲器の使用方法。
【請求項７】
前記第２の害虫捕獲器の第２の面に熱源を載置し、
カバー体が前記熱源を覆う、
請求項６記載の害虫捕獲器の使用方法。
【発明の詳細な説明】
【技術分野】
【０００１】
本発明は、寝室や居間等の居住空間に設置され、そこに発生するトコジラミ（床虱）等の害虫を捕獲する害虫捕獲器、及び、この害虫捕獲器の使用方法に関する。
【背景技術】
【０００２】
近年、トコジラミ（床虱）等の害虫がオーストラリアやアメリカ等の国々で大量発生しているという報告がある。このような害虫に刺咬されると、激しい痒みや痛みが生じることがある。また、害虫には、吸血するものもいる。害虫には、病原体を運ぶものもいる。そして、近年の交通手段の発達により、このような害虫が貨物や旅行者の荷物等を介して世界各国に渡り、それぞれの国で発生することも危惧されている。ここで、害虫への対策として、近年、害虫を捕獲する捕獲器が注目されている。
【０００３】
害虫捕獲器の発明の一例は、特許文献１に記載の、３節類カメムシ等の昆虫を捕らえるための昆虫捕獲器である。この昆虫捕獲器は、全体として直方体をなし、内室を形成する外壁を備え、充分な大きさの少なくとも１つの昆虫入口を有する。内室は、互に隣接する三角形状の中空体（三角形状の中空体は３節陸性カメムシの好むものである）に区分される。特許文献１には、昆虫捕獲器の内壁を構成するボール紙の素材１０の表面を殺虫剤で処理すること、及び、ボール紙の素材１０を折り畳んで組み立て昆虫捕獲器とすることが記載されている。
【先行技術文献】
【特許文献】
【０００４】
【特許文献１】特公平７―８９８１３号公報
【発明の概要】
【発明が解決しようとする課題】
【０００５】
特許文献１には、製造者と購入者とのいずれが昆虫捕獲器を組み立てるのかについての記載がないが、この昆虫捕獲器を組み立てる作業者が製造者と購入者とのいずれであっても、作業者にとって昆虫捕獲器の組み立てが安全かつ容易なものであることが望ましい。詳細に述べると、特許文献１に記載の昆虫捕獲器はボール紙の素材１０で構成されている。作業者は、素材１０を強く押さえて組み立てなければならない。これは、作業者にとって負担になる。また、この昆虫捕獲器を組み立てるとき、作業者は、殺虫剤に触れてしまうおそれがある。
【０００６】
本発明は、上記の点を鑑みてなされたものであり、安全かつ容易に取り扱える害虫捕獲器を提供することを目的とする。
【課題を解決するための手段】
【０００７】
本発明の害虫捕獲器は、対称軸について対称な形状の板状の基部と、前記基部の第１の面の縁部からマージンを設けて前記第１の面の中央に配置される粘着部と、前記マージンに設けられ前記第１の面から突出する突部と、前記対称軸について前記突部とは対称な箇所に設けられ前記突部が係合する係合受部と、を備える。
【０００８】
本発明の害虫捕獲器の使用方法は、上記の害虫捕獲器と同じ構成の第１の害虫捕獲器及び第２の害虫捕獲器を用いて、前記第１の害虫捕獲器の突部と、前記第２の害虫捕獲器の係合受部とを係合させ、前記第１の害虫捕獲器の係合受部と、前記第２の害虫捕獲器の突部とを係合させる。
【発明の効果】
【０００９】
本発明によれば、マージンの部分を持って害虫捕獲器を安全に取り扱うことができる。そして、害虫捕獲器は、単体でも設置である。さらに、二つの害虫捕獲器のそれぞれのマージンの部分を持って粘着部同士を対面させ、二つの害虫捕獲器を組み付けて害虫捕獲器ユニットとし、害虫が入り込み粘着部まで至る空間を確保しつつ粘着部を覆い隠した状態で設置することもできる。このように、安全かつ容易に取り扱える害虫捕獲器を提供することができる。
【図面の簡単な説明】
【００１０】
【図１】害虫捕獲器の斜視図である。
【図２】第１の面から見た基部の斜視図である。
【図３】第２の面から見た基部の斜視図である。
【図４】図２のＡ−Ａ線断面図である。
【図５】害虫捕獲器ユニットの斜視図である。
【図６】図５のＢ−Ｂ線断面図である。
【図７】熱源を載置した害虫捕獲器ユニットの斜視図である。
【発明を実施するための形態】
【００１１】
実施の一形態を、図１ないし図７に基づいて説明する。図１は、害虫捕獲器１０１の斜視図である。
【００１２】
害虫捕獲器１０１は、長方形の板状をなしている。害虫捕獲器１０１は、粘着部としての粘着シート１０２を中央に有する。害虫捕獲器１０１は、トコジラミ（床虱）等の害虫（図示せず）が潜在的に隠れていそうな寝室や居間等の居住空間で、載置面としての床面ＦＬに設置される。このとき、害虫捕獲器１０１は、粘着シート１０２を露出させた状態で単体で床面ＦＬに設置されてもよい（図１参照）。また、粘着シート１０２を隠すように二つの害虫捕獲器１０１、１０１ａ（図５も参照）を組みつけて害虫捕獲器ユニット２０１（図５参照）とし、この害虫捕獲器ユニット２０１を床面ＦＬに設置してもよい。
【００１３】
害虫捕獲器１０１の構造について説明する。害虫捕獲器１０１は、粘着シート１０２と、基部１０３とを備える。粘着シート１０２は、矩形状のシートである。粘着シート１０２の表面には、粘着剤が塗布されている。一例として、粘着シート１０２は、ボール紙の表面をコーティング加工して形成されたコートボール紙を用い、このコートボール紙の表面に粘着剤を塗布して形成される。また、粘着シート１０２の表面に、害虫を誘引する誘引物質（図示せず）を配置してもよい。誘引物質の一例は、害虫が好むエサである。さらに、粘着シート１０２の表面に、害虫（図示せず）を殺すための殺虫剤（図示せず）を塗布してもよい。
【００１４】
図２は、第１の面１０４ａから見た基部１０３の斜視図である。図３は、第２の面１０４ｂから見た基部１０３の斜視図である。図４は、図２のＡ−Ａ線断面図である。基部１０３は、平面視で長方形に見える板状である。基部１０３の形状は、対称軸ＡＸについて対称である。基部１０３の主となるのは、長方形形状の板状部１０４である。一例として、板状部１０４は、縦幅が７５ｍｍ、横幅が１１５ｍｍ、１．５ｍｍ厚のポリプロピレン（ＰＰ）素材で、射出成形によって形作られる。板状部１０４の一方の面は、第１の面１０４ａである。第１の面１０４ａには、突部１０５、係合受部１０６、柱部１０７、粘着シート保持部１０８及び粘着シート配置部１０９（いずれも詳細は後述）が設けられる。第１の面１０４ａとは反対側に位置する板状部１０４の他方の面は、第２の面１０４ｂである。第２の面１０４ｂは、床面ＦＬに載置できるよう平坦になっている。
【００１５】
第１の面１０４ａの中央には、粘着シート１０２を配置するための粘着シート配置部１０９が設けられる。粘着シート配置部１０９は、第１の面１０４ａに形成される。粘着シート配置部１０９は、粘着シート１０２（図１参照）と同じ大きさの矩形形状で粘着シート１０２の厚さだけ没した窪みである。一例として、粘着シート配置部１０９の縦幅は４１ｍｍであり、粘着シート配置部１０９の横幅は８１ｍｍである。粘着シート配置部１０９と第１の面１０４ａの外周の縁部との間には、マージン１１０が設けられる。
【００１６】
粘着シート保持部１０８は、第１の面１０４ａから突出し、マージン１１０から粘着シート配置部１０９に向けて迫り出している。図２に示すように、粘着シート保持部１０８は、粘着シート配置部１０９の外周の三辺に設けられる。つまり、粘着シート保持部１０８は、粘着シート配置部１０９の外周の残りの一辺には設けられていない。この一辺は、粘着シート１０２を粘着シート配置部１０９に導入するための粘着シート導入部１１１となる。
【００１７】
粘着シート１０２は、粘着シート導入部１１１からスライドさせて粘着シート配置部１０９に導入され、粘着シート配置部１０９に嵌り込む。粘着シート保持部１０８は、粘着シート配置部１０９に嵌め込まれた粘着シート１０２を、上方から押さえ込む。
【００１８】
突部１０５は、マージン１１０に設けられ、第１の面１０４ａから突出する。より詳細には、突部１０５は、二つの爪部１０５ａを有する。これらの爪部１０５ａは、並んで配置され、互いに対面する方向に撓むことができる。
【００１９】
係合受部１０６は、第１の面１０４ａで、対称軸ＡＸについて突部１０５とは対称な箇所に設けられる。係合受部１０６は、突部１０５が係合できる形状をなす。より詳細には、係合受部１０６は、爪部１０５ａが入り込むことができる円筒である。一例として、この係合受部１０６の高さは、２ｍｍである。係合受部１０６には、別の害虫捕獲器１０１（第２の害虫捕獲器１０１ａ）に設けられた突部１０５’が係合する（詳細は、図５に基づいて後述）。
【００２０】
柱部１０７は、マージン１１０において突部１０５や係合受部１０６の外側に位置して、第１の面１０４ａから複数突出する。これらの柱部１０７は、対称軸ＡＸについて対称に並ぶ。一例として、柱部１０７は、直径３ｍｍの円柱であって、第１の面１０４ａから１ｍｍ突出する。換言すると、柱部１０７の先端は、第２の面１０４ｂから２．５ｍｍ離れている。そして、柱部１０７は、基部１０３の縁部に沿って３ｍｍの間隔を設けて複数並ぶ。
【００２１】
図４を参照する。第１の面１０４ａのマージン１１０には、傾斜部１１２が形成される。傾斜部１１２は、第１の面１０４ａの縁部に向かうにつれて第２の面１０４ｂに近づくよう傾斜する。そして、基部１０３は、その縁部に向かうにつれて薄くなっている。一例として、傾斜部１１２は、板状部１０４の縁部から１１．５ｍｍだけ内側の箇所から始まる。また、板状部１０４の縁部における厚さ（すなわち、板状部１０４の縁部での第１の面１０４ａと第２の面１０４ｂとの離間距離）は、０．５ｍｍである。前述した柱部１０７は、傾斜部１１２から突出してもよいし、マージン１１０のうち傾斜部１１２以外の領域から突出してもよい。
【００２２】
再び、図１を参照する。上記のように構成される害虫捕獲器１０１は、基部１０３の第２の面１０４ｂを床面ＦＬに接しさせて、寝室や居間等の居住空間に単体で設置することができる。この場合、害虫は、基部１０３のマージン１１０を経て粘着シート１０２の上を通過することがある。また、害虫は、上方から落下して粘着シート１０２に到達することがある。粘着シート１０２は、このようにして粘着シート１０２の上に辿り着いた害虫を捕獲する。ここで、粘着シート１０２に誘引物質が配置されていた場合、害虫が粘着シート１０２に捕獲されやすくなる。また、粘着シート１０２に殺虫剤を塗布した場合、粘着シート１０２に捕獲された害虫は、まもなく死ぬ。
【００２３】
ここで重要なのは、害虫捕獲器１０１において、害虫捕獲器１０１を設置しようとする作業者は、粘着シート１０２に触れることなく、粘着シート１０２の周囲のマージン１１０の部分を持つことができる、ということである。つまり、作業者は、粘着シート１０２の粘着剤で手が汚れることも、粘着シート１０２に配置された誘引物質（エサ等）が手に付着することも、粘着シート１０２に塗布された殺虫剤が手に触れることもない。
【００２４】
図５は、害虫捕獲器ユニット２０１の斜視図である。図６は、図５のＢ−Ｂ線断面図である。さらに、上記のように構成される害虫捕獲器１０１を二つ組み付けて害虫捕獲器ユニット２０１を構成し、この害虫捕獲器ユニット２０１を床面ＦＬに設置することができる。以下、説明の便宜上、害虫捕獲器ユニット２０１を構成する一方の害虫捕獲器に対しては、符号「１０１」を用いて「第１の害虫捕獲器１０１」と呼ぶ。また、害虫捕獲器ユニット２０１を構成する他方の害虫捕獲器に対しては、符号「１０１ａ」を用いて「第２の害虫捕獲器１０１ａ」と呼ぶ。さらに、第２の害虫捕獲器１０１ａを構成する各部を示す符号には、第１の害虫捕獲器１０１を構成する各部（例えば、「粘着シート１０２」）に対応させ、さらに「’」を付加する。例えば、第２の害虫捕獲器１０１ａに備わる粘着シートには、符号「１０２’」を付す。
【００２５】
害虫捕獲器ユニット２０１は、以下の手順で構成される。まず、二つの害虫捕獲器１０１、１０１ａのそれぞれのマージン１１０、１１０’を持って、粘着シート１０２、１０２’同士を対面させる。続いて、第１の害虫捕獲器１０１に備わる突部１０５と、第２の害虫捕獲器１０１ａに備わる係合受部１０６’とを係合させる。これとともに、第１の害虫捕獲器１０１に備わる係合受部１０６と、第２の害虫捕獲器１０１ａに備わる突部１０５’とを係合させる。このとき、第１の害虫捕獲器１０１の係合受部１０６の先端は、第２の害虫捕獲器１０１ａの第１の面１０４ａ’に接触する。また、第２の害虫捕獲器１０１ａの係合受部１０６’の先端は、第１の害虫捕獲器１０１の第１の面１０４ａに接触する。さらに、第１の害虫捕獲器１０１に備わる柱部１０７の先端と、第２の害虫捕獲器１０１ａに備わる柱部１０７’の先端とが接触する。
【００２６】
このようにして構成された害虫捕獲器ユニット２０１は、図５や図６に示すように、第１の害虫捕獲器１０１の第２の面１０４ｂを床面ＦＬに接しさせて、寝室や居間等の居住空間に設置することができる。この場合、第２の害虫捕獲器１０１ａでは、粘着シート保持部１０８が粘着シート１０２’の落下を防ぐ。また、係合受部１０６、１０６’や柱部１０７、１０７’によって、基部１０３、１０３’の間に空間Ｓが確保される。一般に、害虫が狭い隙間に入り込んで身を隠すということが知られている。このため、害虫は、空間Ｓを通って粘着シート１０２、１０２’まで至りうる。さらに、空間Ｓの端部は、傾斜部１１２によって広がっている。このため、害虫は、空間Ｓに入り込みやすい。
【００２７】
害虫捕獲器ユニット２０１において、粘着シート１０２は、基部１０３、１０３’に覆い隠される。これにより、ホコリやゴミが粘着シート１０２、１０２’に付着しにくくなり、粘着シート１０２、１０２’の粘着性が低下しない。また、粘着シート１０２、１０２’に付着した害虫が露出せず、この害虫を視認して不快になるようなことがない。さらに、床面ＦＬに設置された害虫捕獲器ユニット２０１を踏んでも、害虫捕獲器ユニット２０１は壊れにくく、足が粘着シート１０２に着くこともない。
【００２８】
図７は、熱源２０３を載置した害虫捕獲器ユニット２０１の斜視図である。ところで、第１の害虫捕獲器１０１の第２の面１０４ｂにも、第２の害虫捕獲器１０１ａの第２の面１０４ｂ’にも、熱源設置領域２０２が設けられている。熱源設置領域２０２には、熱源２０３が載置される。熱源２０３の一例は、使い捨てカイロである。そして、第２の面１０４ｂ’には、熱源２０３を覆うカバー体２０４が配置される。
【００２９】
熱源２０３を熱源設置領域２０２に載置すると、熱源２０３が、基部１０３’を通して、第２の害虫捕獲器１０１ａの粘着シート１０２’（図６参照）を温める。ここで、一般に、害虫は、暖かい場所や二酸化炭素濃度が高い場所に集まりやすいということが知られている。とりわけ、人体から吸血したり人体を刺咬したりする害虫は、そのような場所に一層集まりやすいということが知られている。このため、害虫は、空間Ｓを通って、暖まった粘着シート１０２’に集まりやすくなる。そして、カバー体２０４は、熱源２０３に直接近づこうとする害虫を防ぐ。
【００３０】
なお、上記の説明では、害虫捕獲器１０１単体や害虫捕獲器ユニット２０１を床面ＦＬに平置きする例について示した。ここで、害虫捕獲器１０１単体でも、害虫捕獲器ユニット２０１でも、壁（図示せず）に立てかけたり基部１０３、１０３’の縁部を床面ＦＬに接しさせたりすることで、粘着シート１０２を上下方向に延びる方向に向けて設置することもできる。
【００３１】
また、上記の説明では、粘着シート１０２’を温めるために、熱源設置領域２０２に熱源２０３を設置することを述べた。ここで、これ以外にも、例えば、ドライヤー（図示せず）を用いて熱源設置領域２０２に熱風を当てるようにしてもよい。
【００３２】
なお、上記に述べた害虫捕獲器１０１は、トコジラミ（床虱）のみならず、ダニやノミにも有効である。そして、害虫捕獲器ユニット２０１に形成される空間Ｓの高さを捕獲しようとする害虫の大きさ程度に狭くすると、害虫は、空間Ｓに入り込むときに、血糞を排出して、害虫自身の大きさを小さくしようとする。このようにして害虫捕獲器ユニット２０１の周囲に残される血糞の有無によって、害虫捕獲器ユニット２０１内に害虫が捕獲されているかどうかを判別することができる。
【符号の説明】
【００３３】
１０１    害虫捕獲器（第１の害虫捕獲器）
１０１ａ  第２の害虫捕獲器
１０２    粘着シート（粘着部）
１０３    基部
１０４ａ  第１の面
１０４ｂ  第２の面
１０５    突部
１０６    係合受部
１０７    柱部
１１０    マージン
１１２    傾斜部
２０２    熱源設置領域
２０３    熱源
２０４    カバー体
ＡＸ      対称軸
ＦＬ      床面（載置面）
【図１】
2011254746.tif 000003
【図２】
2011254746.tif 000004
【図３】
2011254746.tif 000005
【図４】
2011254746.tif 000006
【図５】
2011254746.tif 000007
【図６】
2011254746.tif 000008
【図７】
2011254746.tif 000009